(57)【要約】【課題】無線ＷＡＮシステムと無線ＬＡＮシステムとを中継する中継装置の小規模化、低コスト化、及び製造の容易化を図ることが可能な中継装置及び外部アンテナユニットを提供する。【解決手段】本発明に係る通信システムは、第１の周波数帯域の無線信号を送受信する第１アンテナユニットと、第２の周波数帯域の無線信号を送受信する第２アンテナユニットと、第１アンテナユニットを介して無線通信を実行する第１信号処理基板と、第２アンテナユニットを介して無線通信を実行する第２信号処理基板と、第１及び第２信号処理基板と接続する接続部を備え、第１及び第２の周波数帯域の無線信号を中継する中継装置であって、第２アンテナユニットは、第２の周波数帯域の無線信号を受信するアンテナ素子と、無線信号に含まれる所定の周波数帯域の干渉信号を抑制するフィルタとを備え、第２アンテナユニットは、第２信号処理基板から着脱可能に設けられている。【選択図】図２
2008236407.tif 000002
【特許請求の範囲】
【請求項１】
第１の周波数帯域の無線信号を送受信する第１アンテナユニットと、第２の周波数帯域の無線信号を送受信する第２アンテナユニットと、前記第１アンテナユニットを介して無線通信を実行する第１信号処理基板と、前記第２アンテナユニットを介して無線通信を実行する第２信号処理基板と、前記第１信号処理基板及び前記第２信号処理基板と接続する接続部とを備え、前記第１の周波数帯域の無線信号と前記第２の周波数帯域の無線信号とを中継する中継装置であって、
前記第２アンテナユニットは、
前記第２の周波数帯域の無線信号を受信するアンテナ素子と、
前記アンテナ素子で受信された前記無線信号に含まれる所定の周波数帯域の干渉信号を抑制するフィルタとを備え、
前記第２アンテナユニットは、前記第２信号処理基板から着脱可能に設けられている
ことを特徴とする中継装置。
【請求項２】
前記第１の周波数帯域と、前記第２の周波数帯域とは、互いに近接することを特徴とする請求項１に記載の中継装置。
【請求項３】
前記第１の周波数帯域の無線信号がＷＣＤＭＡの信号であり、前記第２の周波数帯域の無線信号がＷｉＦｉの信号であることを特徴とする請求項１又は２に記載の中継装置。
【請求項４】
第１の周波数帯域の無線信号を用いて無線通信を実行する第１信号処理基板と、第２の周波数帯域の無線信号を用いて無線通信を実行する第２信号処理基板と、前記第１信号処理基板と前記第２信号処理基板と接続し、前記第１の周波数帯域の無線信号と前記第２の周波数帯域の無線信号とを中継する中継基板とを備える本体装置に接続される外部アンテナユニットであって、
前記第２周波数帯域の無線信号を受信するアンテナ素子と、
前記アンテナ素子で受信された前記無線信号に含まれる所定の周波数帯域の干渉信号を抑制するフィルタと、
前記アンテナ素子と前記フィルタとが配置される配置基板とを備え、
前記配置基盤は、前記第２信号処理基板から着脱可能に設けられている
ことを特徴とする外部アンテナユニット。
【請求項５】
前記第１の周波数帯域と、前記第２の周波数帯域とは、互いに近接することを特徴とする請求項４に記載の外部アンテナユニット。
【請求項６】
前記第１の周波数帯域の無線信号がＷＣＤＭＡの信号であり、前記第２の周波数帯域の無線信号がＷｉＦｉの信号であることを特徴とする請求項４又は５に記載の外部アンテナユニット。
【発明の詳細な説明】
【技術分野】
【０００１】
本発明は、第１の周波数帯域の無線信号で無線通信を実行する第１信号処理基板と、第２の周波数帯域の無線信号で無線通信を実行する第２信号処理基板とを備え、第１の周波数帯域の無線信号と第２の周波数帯域の無線信号とを中継する中継装置及び外部アンテナユニットに関する。
【背景技術】
【０００２】
従来、例えば、無線ＬＡＮ（Local Area Network）システムや、携帯電話等の無線ＷＡＮ（Wide Area Network）システム等の複数の無線通信システムの間で、無線通信を中継するブロ−ドバンドワイヤレスアクセスシステム（以下、ＢＷＡシステム）が知られている。
【０００３】
かかるＢＷＡシステムでは、無線ＬＡＮシステム向けのＬＡＮ側信号処理基板と、携帯電話等の無線ＷＡＮシステム向けのＷＡＮ側信号処理基板とを備える中継装置（宅内装置）を有する（例えば、非特許文献１参照）。また、かかる中継装置では、ＬＡＮ側信号処理基板が、ＰＣ等の端末装置と通信を行い、ＷＡＮ側信号処理基板が、インターネット等の外部ネットワークと通信を行う。このような構成により、中継装置は、端末装置と外部ネットワークとの間の通信を中継する。
【非特許文献１】IEEE 802.16 Broadband Wireless Access Working Group， “MMDS Background”;Document Number: IEEE 802.16sub10p-00/07 ; 13ページ.
【発明の開示】
【発明が解決しようとする課題】
【０００４】
ところで、ＢＷＡシステムでは、無線ＷＡＮシステムで使用される周波数帯域と、無線ＬＡＮシステムで使用される周波数帯域が近接する場合がある。例えば、無線ＷＡＮシステムにＷＣＤＭＡ（２．５ＧＨｚ帯）を用い、無線ＬＡＮシステム（２．４ＧＨｚ帯）を用いる場合、互いの周波数帯域が近接しているので、中継装置によって送受信される信号が互いに干渉する場合がある。そこで、このような中継装置では、干渉を防ぐために高精度な周波数フィルタを設ける必要がある。
【０００５】
更に、無線ＷＡＮシステムで使用される周波数帯域は、地域によって若干異なることがある。従って、例えば、中継装置を他の地域へ移動させて使用する場合、或いは、様々な地域に対応する中継装置を製造する場合、無線ＷＡＮシステムと無線ＬＡＮシステムとの干渉を防ぐため、使用する地域に応じて周波数フィルタの仕様を変更する必要がある。
【０００６】
これに対応するため、予め複数の周波数フィルタを中継装置内に設けておき、対象の地域ごとに切り替えて使用することが考えられる。しかし、この周波数フィルタは、高精度である必要があり、かつ回路規模が大きいので、このような周波数フィルタを複数設けると中継装置の回路のコストが高くなったり、回路の規模が増大したりする。
【０００７】
そこで、本発明は以上の点に鑑みてなされたもので、無線ＷＡＮシステムと無線ＬＡＮシステムとを中継する中継装置の小規模化、低コスト化、及び製造の容易化を図ることを目的とする。
【課題を解決するための手段】
【０００８】
本発明の第１の特徴は、第１の周波数帯域（例えば、２．５ＧＨｚ帯）の無線信号を送受信する第１アンテナユニット（本体アンテナユニット１０）と、第２の周波数帯域（例えば、２．４ＧＨｚ帯）の無線信号を送受信する第２アンテナユニット（外部アンテナユニット５０）と、前記第１アンテナユニットを介して無線通信を実行する第１信号処理基板（第１信号処理基盤２０）と、前記第２アンテナユニットを介して無線通信を実行する第２信号処理基板（第２信号処理基板４０）と、前記第１信号処理基板と前記第２信号処理基板と接続する接続部とを備え、前記第１の周波数帯域の無線信号と第２の周波数帯域の無線信号とを中継する中継装置（中継装置１）であって、前記第２アンテナユニットは、前記第２の周波数帯域の無線信号を受信するアンテナ素子と、前記アンテナ素子で受信された前記無線信号に含まれる所定の周波数帯域の干渉信号を抑制するフィルタとを備え、前記第２アンテナユニットは、前記第２信号処理基板から着脱可能に設けられていることを要旨とするものである。
【０００９】
かかる特徴によれば、中継装置では、第２アンテナユニットが、第２信号処理基板から着脱可能に設けられている。よって、中継装置では、第１信号処理基板で用いられている無線信号の第１の周波数帯域が地域によって若干異なる場合であっても、異なる第１の周波数帯域の干渉に対応したフィルタを備える第２アンテナユニットに交換すれば、干渉を抑制することができる。よって、かかる中継装置では、従来技術のように、複数のフィルタを備える必要がなくなり、回路規模が増大することを防止できる。また、かかる中継装置では、第２アンテナユニットのみを交換するだけでよいので、他の機器に関しては、引き続き使用できる。よって、フィルタの仕様が異なる新たな中継装置を準備する必要がなくなるので、第１の周波数帯域が異なる地域であっても、干渉を抑制する中継装置を低コストで提供できる。このように、第１の周波数帯域の無線信号と第２の周波数帯域の無線信号との無線通信を中継する中継装置の小規模化、低コスト化、及び製造の容易化を図ることができる。
【００１０】
ここで、ユーザが、例えば、第１の周波数帯域として、２．５ＧＨｚ帯を用いるＷＣＤＭＡ等で通信する第１信号処理基板を備える中継装置に、第２の周波数帯域として、２．４ＧＨｚ帯を用いるＩＥＥＥ８０１．１１ｂ（例えば、ＷｉＦｉ）で通信する第２信号処理基板を取り付ける場合がある。かかる場合、第１の周波数帯域と第２の周波数帯域とは、２．５ＧＨｚ近傍の周波数帯域において、干渉が発生する。
【００１１】
このような場合であっても、第２アンテナユニットに備えられているフィルタが、例えば、干渉を抑制する所定の周波数帯域を２．５ＧＨｚ近傍の周波数帯域とすれば、少なくとも第２アンテナユニットで受信される無線信号の干渉を抑制することができる。
【００１２】
上述するように、かかる特徴によれば、中継装置は、無線通信システムに対応する信号処理基板（例えば、第２信号処理基板）をユーザが自由に選択できると共に、複数の無線通信システム（例えば、ＷＣＤＭＡ等の無線通信システムや、ＷｉＦｉ等の無線通信システム）で用いられる無線信号間の干渉を抑制することができる。
【００１３】
本発明第２の特徴は、第１の特徴に係り、前記第１の周波数帯域と、前記第２の周波数帯域とは、互いに近接することを要旨とするものである。
【００１４】
本発明第３の特徴は、第１又は２の特徴に係り、前記第１の周波数帯域の無線信号がＷＣＤＭＡの信号であり、前記第２の周波数帯域の無線信号がＷｉＦｉの信号であることを要旨とするものである。
【００１５】
本発明第４の特徴は、第１の周波数帯域（例えば、２．５ＧＨｚ帯）の無線信号を用いて無線通信を実行する第１信号処理基板（第１信号処理基盤２０）と、第２の周波数帯域（例えば、２．４ＧＨｚ帯）の無線信号を用いて無線通信を実行する第２信号処理基板（第２信号処理基板４０）とを備え、前記第１の周波数帯域の無線信号と第２の周波数帯域の無線信号とを中継する本体装置に接続される外部アンテナユニット（外部アンテナユニット５０）であって、前記第２周波数帯域の無線信号を受信するアンテナ素子（アンテナ素子５１）と、前記アンテナ素子で受信された前記無線信号に含まれる所定の周波数帯域の干渉信号を抑制するフィルタ（フィルタ５２）と、前記アンテナ素子と前記フィルタとが配置される配置基板（配置基板５３）とを備え、前記配置基盤は、前記第２信号処理基板から着脱可能に設けられていることを要旨とするものである。
【００１６】
かかる特徴によれば、外部アンテナユニットでは、配置基板が、第２信号処理基板から着脱可能に設けられている。よって、例えば、第２信号処理基板が、本体装置から着脱可能に構成されている場合、ユーザは、第１の周波数帯域からの干渉を受ける周波数帯域がフィルタの所定の周波数帯域になるように、外部アンテナユニットを自由に選択できるので、第２の周波数帯域の無線信号の干渉をより抑制し、当該無線信号の通信品質が低下することを抑制できる。
【００１７】
本発明第５の特徴は、第４の特徴に係り、前記第１の周波数帯域と、前記第２の周波数帯域とは、互いに近接することを要旨とするものである。
【００１８】
本発明第６の特徴は、第４又は５の特徴に係り、前記第１の周波数帯域の無線信号がＷＣＤＭＡの信号であり、前記第２の周波数帯域の無線信号がＷｉＦｉの信号であることを要旨とするものである。
【発明の効果】
【００１９】
本発明の特徴によれば、無線ＷＡＮシステムと無線ＬＡＮシステムとを中継する中継装置の小規模化、低コスト化、及び製造の容易化を図ることが可能な中継装置及び外部アンテナユニットを提供することができる。
【発明を実施するための最良の形態】
【００２０】
（本発明の実施形態に係るＢＷＡシステムの構成）
本発明の実施形態について説明する。なお、以下の図面の記載において、同一または類似の部分には、同一または類似の符号を付している。ただし、図面は模式的なものであることに留意すべきである。図１には、本実施形態に係るブロ−ドバンドワイヤレスアクセスシステム（以下、ＢＷＡシステム）１００の全体概略構成が示されている。以下、本発明の実施形態に係るＢＷＡシステム１００の構成について、図１を参照して説明する。
【００２１】
図１に示すように、本実施形態に係るＢＷＡシステム１００は、端末装置Ａと、基地局ＢＳと、中継装置１と、外部ネットワーク１０００を具備する。
【００２２】
端末装置Ａは、無線ＬＡＮシステム（図示せず）に備えられている一端末である。また、当該無線ＬＡＮシステムでは、例えば、ネットワークやサーバ等の他の装置を具備しているが、本実施形態では、当該他の装置に関する説明を省略する。
【００２３】
また、本実施形態に係る端末装置Aは、ISMバンド（Industrial Scientific and Medical band：産業科学医療用バンド）の周波数帯域（２．４ＧＨｚ帯）の無線信号を用いて、中継装置１との間で無線通信を実行するように構成されている。本実施形態では、端末装置Aは、標準規格ＩＥＥＥ８０１．１１ｂ（例えば、ＷｉＦｉ）で採用されている通信方式により、無線通信を実行する場合を例に挙げて説明する。つまり、本実施形態に係る端末装置Ａは、中継装置１との間で、周波数帯域が２．４ＧＨｚ帯の無線信号を用いて無線通信を実行することとする。
【００２４】
なお、本実施形態において、端末装置Ａは、携帯電話機や、ＰＤＡ（Ｐｅｒｓｏｎａｌ Ｄｅｇｉｔａｌ Ａｓｓｉｓｔａｎｔ）や、ノート型及びデスクトップ型コンピュータ等を想定している。
【００２５】
基地局ＢＳは、携帯電話等の無線ＷＡＮシステム（図示せず）に備えられている基地局である。また、当該無線ＷＡＮシステムでは、例えば、ネットワークや無線制御局（例えば、ＲＮＣ又はサーバ）等の他の装置を具備しているが、本実施形態では、当該他の装置に関する説明を省略する。
【００２６】
また、本実施形態に係る基地局ＢＳは、ＷＣＤＭＡ（Ｗｉｄｅｂａｎｄ Ｃｏｄｅ Ｄｉｖｉｓｉｏｎ Ｍｕｌｔｉｐｌｅ Ａｃｃｅｓｓ）方式を用いた通信方式により、中継装置１との間で、２．５ＧＨｚ帯の無線信号を用いて無線通信を実行する場合を例に挙げて説明する。
【００２７】
外部ネットワーク１０００は、無線ＷＡＮシステムに備えられている基地局ＢＳと接続する。また、本実施形態に係る外部ネットワーク１０００は、インターネットを想定している。
【００２８】
中継装置１は、端末装置Ａとの間で無線信号を送受信して無線通信を実行すると共に、基地局ＢＳとの間で無線信号を送受信して無線通信を実行する。そして、中継装置１は、端末装置Ａと基地局ＢＳとの間における無線通信を中継する。かかる中継装置１の機能により、端末装置Ａは、中継装置１と基地局ＢＳとを介して、外部ネットワーク１０００との間で通信を行うことができる。
【００２９】
（本実施形態に係る中継装置の構成）
次に、図２を参照し、中継装置１の構成について具体的に説明する。
【００３０】
また、以下、本発明との関連がある部分について主に説明する。したがって、中継装置１は、中継装置としての機能を実現する上で必須な、図示しない或いは説明を省略した機能ブロック（電源部など）を備える場合があることに留意されたい。
【００３１】
図２に示すように、中継装置１は、本体アンテナユニット１０と、第１信号処理基板２０と、スロット３０と、第２信号処理基板４０と、外部アンテナユニット５０と、外部アンテナユニット５０と第２信号処理基板４０と接続するケーブルＬと、ブリッジ６０と、中継基板７０とを具備する。なお、上述する中継装置１において、外部アンテナユニット５０を除く、本体アンテナユニット１０と、第１信号処理基板２０と、スロット３０と、第２信号処理基板４０と、外部アンテナユニット５０と、ケーブルＬと、ブリッジ６０と、中継基板７０とによって、本体装置が構成される。また、ケーブルＬは、本体装置に含まれていなくてもよい。
【００３２】
本体アンテナユニット１０（第１アンテナユニット）は、アンテナ素子１１を備え、基地局ＢＳとの間で、２．５ＧＨｚ帯（第１の周波数帯域）の無線信号を送受信する。本体アンテナユニット１０は、基地局ＢＳから受信した信号を第１信号処理基板２０へ出力すると共に、第１信号処理基板から入力した信号を、２．５ＧＨｚ帯の無線信号で、基地局ＢＳに送信する。
【００３３】
第１信号処理基板２０は、本体アンテナユニット１０と中継基板７０と接続する。また、第１信号処理基板２０は、本体アンテナユニット１０を介して、基地局ＢＳとの間で、ＷＣＤＭＡ方式の２．５ＧＨｚ帯の無線信号を用いて無線通信を実行する。具体的に、第１信号処理基板２０は、中継装置７０から信号を入力すると、当該信号に変調等の無線信号処理を行って、本体アンテナユニット１０を介して、処理後の信号を基地局ＢＳに送信する。また、第１信号処理基板２０は、本体アンテナユニット１０で受信された基地局ＢＳからの信号を入力すると、当該信号に復調等の無線信号処理を行って、処理後の信号を中継装置７０に出力する。
【００３４】
スロット３０は、ＰＣＩ（Ｐｅｒｉｐｈｅｒａｌ Ｃｏｍｐｏｎｅｎｔｓ Ｉｎｔｅｒｃｏｎｎｅｃｔ）バスとして機能する拡張カードスロットを想定している。なお、スロット３０は、第２信号処理基板４０と接続する接続部を構成する。
【００３５】
第２信号処理基板４０は、スロット３０と外部ユニット５０と接続する。また、第２信号処理基板４０は、外部アンテナユニット５０を介して、端末装置Ａとの間で、ＷｉＦｉの２．４ＧＨｚ帯の無線信号を用いて無線通信を実行する。具体的に、第２信号処理基板４０は、ブリッジ６０及びスロット３０を介して、中継装置７０から信号を入力すると、当該信号に変調等の無線信号処理を行って、外部アンテナユニット５０を介して、処理後の信号を端末装置Ａに送信する。また、第２信号処理基板４０は、外部アンテナユニット５０で受信された端末装置Ａからの信号を入力すると、当該信号に復調等の無線信号処理を行って、ブリッジ６０及びスロット３０を介して、処理後の信号を中継装置７０に出力する。
【００３６】
また、本実施形態において、第２信号処理基板４０は、カード型で構成されるＬＡＮカードを想定している。つまり、第２信号処理基板４０は、スロット３０から物理的に着脱可能に構成されている。かかる構成により、第２信号処理基板４０は、中継装置１から着脱可能に設けられている。
【００３７】
ケーブルＬは、第２信号処理基板４０と外部アンテナユニット５０と接続し、両者の間で信号を送受信する。
【００３８】
外部アンテナユニット５０（第２アンテナユニット）は、端末装置Ａとの間で、２．４ＧＨｚ帯（第２の周波数帯域）の無線信号を送受信する。また、外部アンテナユニット５０は、端末装置Ａから受信した信号を第２信号処理基板４０へ出力すると共に、第２信号処理基板から入力した信号を、２．４ＧＨｚ帯の無線信号で、端末装置Ａに送信する。具体的に、外部アンテナユニット５０は、アンテナ素子５１と、フィルタ５２と、配置基板５３とを備える。
【００３９】
アンテナ素子５１は、端末装置Ａとの間で、２．４ＧＨｚ帯の無線信号を送受信する。
【００４０】
フィルタ５２は、アンテナ素子５１で受信された２．４ＧＨｚ帯の無線信号に含まれる所定の周波数帯域の干渉信号を抑制する。
【００４１】
ここで、所定の周波数帯域は、アンテナ素子５１で受信された２．４ＧＨｚ帯の無線信号において、本体アンテナユニット１０から出力される２．５ＧＨｚ帯の無線信号による干渉信号の周波数帯域を示す。
【００４２】
図３には、端末装置Ａとの通信で用いられる無線信号のＷｉＦｉ周波数帯域と、基地局ＢＳとの通信で用いられる無線信号のＷＣＤＭＡ周波数帯域との関係が示されている。図３に示すように、ＷｉＦｉ周波数帯域（２．４〜２．４８３５ＧＨｚ）と、ＷＣＤＭＡ周波数数帯域（２．５〜２．６ＧＨｚ）とは、直接重ならないが、非常に近接している。
【００４３】
本体アンテナユニット１０から送信されるＷＣＤＭＡ周波数帯域の無線信号は、送信強度が大きいため、それが外部アンテナユニット５０で受信されることにより、第２信号処理基板４０のアンプが飽和してしまい、ＷｉＦｉ周波数帯域の無線信号の通信品質が低下しやすい。また、本実施形態において、フィルタ５２は、ＷＣＤＭＡ周波数帯域の無線信号を抑制するローパスフィルタ、又は、ＷｉＦｉ周波数帯域のみを通過させるバンドパスフィルタを想定している。外部アンテナユニット５０は、かかるフィルタ５２を備えることで、ＷＣＤＭＡ周波数帯域の干渉信号の影響により、通信品質が低下することを抑制する。
【００４４】
配置基板５３は、アンテナ素子５１とフィルタ５２とが配置される。また、配置基板５３は、ケーブルＬにより、第２信号処理基板４０との間で物理的に連結している。また、配置基板５３は、第２信号処理基板４０から着脱可能に設けられている。
【００４５】
ここで、配置基板５３は、フィルタ５２と第２信号処理基板４０とを接続するケーブルＬにおいて、フィルタ５２とケーブルＬとの接続部（図示せず）を切離す、又は連結することで、配置基板５３と第２信号処理基板４０とを着脱可能に設けられていてもよいし、ケーブルＬと第２信号処理基板４０との接続部（図示せず）を切離す、又は連結することで、配置基板５３と第２信号処理基板４０とを着脱可能に設けられていてもよい。更に、ケーブルＬのいずれかの箇所に接続部（図示せず）を設け、当該接続部を切離す、又は連結することで、配置基板５３と第２信号処理基板４０とを着脱可能に設けられていてもよい。なお、かかる接続部は、はんだ付けにより、切離し又は連結ができるように構成されていてもよいし、専用のコネクタ（図示せず）によって構成されていてもよい。
【００４６】
このように、配置基板５３が、第２信号処理基板４０から着脱可能に設けられていることにより、外部アンテナユニット５０は、第２信号処理基板４０から着脱可能に設けられている。
【００４７】
ブリッジ６０は、中継基板７０及びスロット３０と接続する。また、ブリッジ６０は、スロット３０を制御するホストバスとして機能する。
【００４８】
中継基板７０は、第１信号処理基板２０とブリッジ６０と接続する。中継基板７０は、ＣＰＵ等の演算処理装置で構成されており、第１信号処理基板２０で実行される無線信号処理を制御する。また、中継基板７０は、ブリッジ６０とスロット３０とを介して、第２信号処理基板４０と通信し、第２信号処理基板４０で実行される無線信号処理を制御する。
【００４９】
また、中継基板７０は、２．５ＧＨｚ帯で無線通信を実行する第１信号処理基板２０と、２．４ＧＨｚ帯で無線通信を実行する第２信号処理基板４０との間で、送受信される信号を中継する。なお、中継基板７０は、第１信号処理基板２０と接続する接続部を構成する。
【００５０】
（作用・効果）
本実施形態に係る中継装置１によれば、第２信号処理基板４０がスロット３０から、着脱可能に設けられている。よって、ユーザは、所望の無線通信システム（例えば、ＷｉＦｉ等の無線ＬＡＮシステム）に対応する第２信号処理基板４０を自由に選択して、無線通信システム側の通信装置として、中継装置１に取り付けることができる。
【００５１】
また、中継装置１では、外部アンテナユニット５０が、アンテナ素子５１によって受信された無線信号に含まれる所定の周波数帯域の干渉信号を抑制するフィルタ５２を備える。ここで、ユーザが、例えば、ＷＣＤＭＡ等、２．５ＧＨｚ帯の無線信号で通信する第１信号処理基板２０を備える中継装置１に、ＷｉＦｉ等の２．４ＧＨｚ帯の信号で通信する第２信号処理基板４０を取り付ける場合がある。かかる場合、２．５ＧＨｚ近傍において、干渉が発生する。また、中継装置１では、第１信号処理基板２０で用いられている無線信号の周波数帯域が地域によって若干異なることも想定されるので、これに伴って干渉が発生する周波数帯域が若干異なることも考えられる。
【００５２】
このような場合であっても、中継装置１では、異なる周波数帯域の干渉に対応したフィルタ５２を備える外部アンテナユニット５０（第２アンテナユニット）に交換すれば、干渉を抑制することができる。よって、かかる中継装置１では、従来技術のように、複数のフィルタを備える必要がなくなり、回路規模が増大することを防止できる。また、かかる中継装置１では、外部アンテナユニット５０のみを交換するだけでよいので、他の機器に関しては、引き続き使用できる。よって、フィルタ５２の仕様が異なる新たな中継装置１を準備する必要がなくなるので、第１信号処理基板２０の周波数帯域が異なる地域であっても、干渉を抑制して信号を中継する中継装置１を低コストで提供できる。
【００５３】
上述するように、本実施形態に係る中継装置１及び外部アンテナユニット５０によれば、無線ＷＡＮシステムと無線ＬＡＮシステムとを中継する中継装置１の小規模化、低コスト化、及び製造の容易化を図ることができる。
【００５４】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００５５】
上述した実施形態では、第１信号処理基板２０及び本体アンテナユニット１０は、２．５ＧＨｚ帯の無線信号で通信を実行し、第２信号処理基板４０及び外部アンテナユニット５０は、２．４ＧＨｚ帯の無線信号で通信を実行するように構成されていたが、かかる周波数帯域に限定されるものではない。また、第１信号処理基板２０は、ＷＣＤＭＡ方式で通信を行うように構成されていたが、通信方式もこれに限定されるものではない。例えば、Ｗｉｍａｘ等で採用されているＯＦＤＭ方式で通信を行うように構成されていてもよい。なお、第２信号処理基板４０に関しても同様である。
【００５６】
また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【００５７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００５８】
【図１】本発明の実施形態に係るＢＷＡシステムの構成を示す概略構成図である。
【図２】本発明の実施形態に係る中継装置のブロック構成図である。
【図３】本発明の実施形態に係る中継装置が通信を行うＷＣＤＭＡ周波数帯域とＷｉＦｉ周波数帯域との周波数帯域の関係を示す図である。
【符号の説明】
【００５９】
１００…ＢＷＡシステム、１…中継装置、１０…本体アンテナユニット、１１…アンテナ素子、２０…第１信号処理基板、３０…スロット、４０…第２信号処理基板、Ｌ…ケーブル、５０…外部アンテナユニット、５１…アンテナ素子、５２…フィルタ、５３…配置基板、６０…ブリッジ、７０…中継基板、１０００…外部ネットワーク、Ａ…端末装置、ＢＳ…基地局、Ｆ…干渉帯域
【図１】
2008236407.tif 000003
【図２】
2008236407.tif 000004
【図３】
2008236407.tif 000005